(57)【要約】【課題】分岐ブレーカへの電線の接続作業が容易で、複数の電線をきれいに揃えやすい配線支持具および電気装置を提供する。【解決手段】分電盤は、複数の分岐ブレーカ５と、複数の分岐ブレーカ５に接続された複数の電線９と、複数の分岐ブレーカ５の近傍に配置されて複数の電線９を支持する配線支持具１とを備える。  複数の電線９は取付面に沿って並び、配線支持具１は複数の電線９に交差して取付面に配置され、複数の電線９をそれぞれ挿通させる複数の挿通部１１を有する。複数の挿通部１１は交差した電線９を取付面と反対側の端部より差し込ませる溝と、溝の底部側に設けられて溝に入った電線９を保持する保持部とを備える。【選択図】        図１
2008253047.tif 000002
【特許請求の範囲】
【請求項１】
取付面に沿って並ぶ複数の電線に交差して前記取付面に配置され、前記複数の電線をそれぞれ挿通させる複数の挿通部を有する配線支持具であって、前記複数の挿通部は交差した前記複数の電線を前記取付面と反対側の端部より差し込ませる溝と、前記溝の底部側に設けられて前記溝に入った前記電線を保持する保持部とを備えた配線支持具。
【請求項２】
前記電線は断面楕円形であり、前記溝の幅は前記電線の断面の短手方向寸法より広いが長手方向寸法より狭く、前記保持部は前記溝の底部の側面に形成された横溝であり、その幅は前記短手方向寸法より広いが前記長手方向寸法より狭く、奥行きは前記長手方向寸法より広い請求項１記載の配線支持具。
【請求項３】
請求項１または請求項２記載の配線支持具と、前記配線支持具に支持された複数の電線と、前記複数の電線に接続された複数の電気機器とを備えた電気装置。
【請求項４】
前記複数の電気機器、前記複数の電線および前記配線支持具はボックスに収納されている請求項３記載の電気装置。
【請求項５】
前記複数の電気機器はベースに取付けられ、前記配線支持具は前記ベースに設けられ、前記複数の電線は前記ベースに隣接された配線ダクトに挿通されている請求項３記載の電気装置。
【請求項６】
前記複数の電気機器はベースに取付けられ、前記複数の電線は前記ベースに隣接された開閉蓋付き配線ダクトに挿通され、前記配線支持具は前記配線ダクトの側板の一部として設けられ、前記配線支持具に前記電線を差し込む溝の電線挿入開口が前記配線ダクトの開口に連通している請求項３記載の電気装置。
【発明の詳細な説明】
【技術分野】
【０００１】
この発明は、配線を支持する配線支持具およびそれを用いた電気装置に関するものである。
【背景技術】
【０００２】
従来の分電盤を図１３から図１５に示す。図１３（ａ）は外観を示し、５０はボックス、５１は扉である。同図（ｂ）はボックス５０の外観を示す。図１４はボックス５０内の電気機器および電線を示す。５２はボックス５０内に配置されたベース、５３はベース５２に搭載された複数の分岐ブレーカ、５４は分岐ブレーカ５３を制御するメインブレーカ、５５はアース端子である。５６はメインブレーカ５４に接続された入力電線であり、ボックス５０の一側中央部より引き込んでいる。５７はメインブレーカ５４と分岐ブレーカ５３とを接続した導電路、５８はボックス５０の両側部より引き込まれて分岐ブレーカ５３に接続された複数の電線であり、ボックス５０内のベース５２とボックス５０の上下壁との間のガタースペース５９で束ね部材６０により束ねられている。図１５（ａ）は右側面図、同図（ｂ）は断面図である。６１はメインブレーカ５４、分岐ブレーカ５３および複数の電線５８の扉側の面を被覆する保護板である。
【０００３】
このように従来の分岐ブレーカ５３の配線は、たとえば特許文献１のように、分岐ブレーカ５３の上側または下側で行っている。
【特許文献１】特開２００６−３４５６４６
【発明の開示】
【発明が解決しようとする課題】
【０００４】
上記従来例は、分岐ブレーカ５３に電線５８を接続する際、電線５８が動いて接続作業がしにくく、接続の確実性も損なわれやすいという課題があった。また電線５８が分岐ブレーカ５３に接続されても、複数の電線５８の並びが不揃いになりやすく見苦しいという課題があった。このため多くの束ね部材６０を用いて電線５８をきれいに揃えようとすると手間がかかり、作業性が悪くなった。
【０００５】
したがって、この発明の目的は、電気機器への電線の接続作業が容易で、複数の電線をきれいに揃えやすい配線支持具および電気装置を提供することである。
【課題を解決するための手段】
【０００６】
この発明の配線支持具は、取付面に沿って並ぶ複数の電線に交差して前記取付面に配置され、前記複数の電線をそれぞれ挿通させる複数の挿通部を有する配線支持具であって、前記複数の挿通部は交差した前記複数の電線を前記取付面と反対側の端部より差し込ませる溝と、前記溝の底部側に設けられて前記溝に入った前記電線を保持する保持部とを備えたものである。
【０００７】
上記構成において、前記電線は断面楕円形であり、前記溝の幅は前記電線の断面の短手方向寸法より広いが長手方向寸法より狭く、前記保持部は前記溝の底部の側面に形成された横溝であり、その幅は前記短手方向寸法より広いが前記長手方向寸法より狭く、奥行きは前記長手方向寸法より広い。
【０００８】
この発明の電気装置は、請求項１記載の配線支持具と、前記配線支持具に支持された複数の電線と、前記複数の電線に接続された複数の電気機器とを備えたものである。
【０００９】
上記構成において、前記複数の電気機器、前記複数の電線および前記配線支持具はボックスに収納されている。
【００１０】
上記構成において、前記複数の電気機器はベースに取付けられ、前記配線支持具は前記ベースに設けられ、前記複数の電線は前記ベースに隣接された配線ダクトに挿通されている。
【００１１】
上記構成において、前記複数の電気機器はベースに取付けられ、前記複数の電線は前記ベースに隣接された開閉蓋付き配線ダクトに挿通され、前記配線支持具は前記配線ダクトの側板の一部として設けられ、前記配線支持具に前記電線を差し込む溝の電線挿入開口が前記配線ダクトの開口に連通している。
【発明の効果】
【００１２】
この発明の配線支持具によれば、取付面に配線支持具を配置し、複数の挿通部にそれぞれ電線を差し込み保持部に保持させる。これにより、複数の電線をきわめて簡単に配線支持具に支持させることができると同時に、複数の電線をきれいに揃えることが可能となり作業性も改善される。また配線支持具に電線を保持して電線が動かない状態で電気機器等に接続することができるので接続作業が容易で接続が確実になる。
【００１３】
この発明の電気装置によれば、配線支持具を用いることにより、分電盤などにおいて上記効果が達成される。この場合、ボックスを省略して配線ダクトを用い、配線支持具をベースに設けたり配線ダクトに設けると、壁面取付時の部品点数を削減でき、軽量化できるので、電気装置の運搬や壁面取付け作業が容易になり、安価にできる。
【発明を実施するための最良の形態】
【００１４】
この発明の第１の実施の形態の分電盤を図１から図４により説明する。図１は扉を開いた状態の正面図であり、図１４と異なる点は配線支持具１を追加したことである。まず図１の全体構成において、２はボックス、３はその底部に設置されたベース、４はベース３上のメインブレーカ、５は同じくベース３上の複数の分岐ブレーカ、６はアース端子である。７はボックス２の側部略中央位置より導入されメインブレーカ４に接続された入力電線、８はメインブレーカ４と分岐ブレーカ５との間を接続する導電路、９はボックス２の両側部の上下端部から導入されガタースペース１０に配線されて各分岐ブレーカ５に接続された複数の電線である。これらの電線９は配線支持具１で支持されるので、束ね部材を省略できるが、多少用いてもよい。
【００１５】
配線支持具１は、複数の分岐ブレーカ５の近傍に配置されて電線９の端部９ａを支持するものである。すなわち、配線支持具１はガタースペース１０におけるベース２の上下の辺部に沿って、取付面となるボックス２の底部に配置されねじ１６ａ等により取付けられている。ガタースペース１０内の複数の電線９の端部９ａは各分岐ブレーカ５に接続するように直角に曲げられて相互にボックス２の底部に沿って並んでおり、この電線９の端部９ａに配線支持具１が交差している。配線支持具１は、複数の電線９をそれぞれ挿通させる複数の挿通部１１を有し、その相互間隔は分岐ブレーカ５の相互間隔に等しい。
【００１６】
図２（ａ）は分電盤の外観を示し、同図（ｂ）は配線支持具１をボックス２から取り出した状態を示している。１９はボックス２の開口を開閉する扉である。配線支持具１は、ボックス２の底部にねじ１６ａ等の連結具や溶接などで取付ける取付片１２と、取付片１２から直角に曲がった立片１３からなるアングルなどの支持部材１４を有し、立片１３に帯板状の支持片１５がねじ１６ｂ等の連結具や溶接などで取付けられている。複数の挿通部１１は支持片１５に形成され、交差した電線９を上端より差し込ませる溝１７と、溝１７の底部側に設けられて溝１７に入った電線９を保持する保持部１８とを備える。
【００１７】
図３（ａ）は分電盤の側面図、同図（ｂ）は概略断面図である。図（ｂ）において、２０はメインブレーカ４、分岐ブレーカ５、電線９およびガタースペース１０を覆う保護板である。
【００１８】
図４（ａ）は配線支持具１の電線９の差し込みと保持状態を示す部分平面図であり、同図（ｂ）はその部分正面図である。電線９は２芯の楕円（長円）形電線を使用している。溝１７は電線９の断面の短手方向寸法より広く、電線９の長手方向寸法よりも狭い幅を有し、保持部１８は溝１７の底部の側面に形成された横溝であり、その幅は電線９の断面の短手方向寸法より広く、電線９の長手方向寸法よりも狭く、また奥行きは電線９の断面の長手方向寸法よりも広く形成している。溝１７と保持部１８とからなる挿通部１１はＬ字形をなしており、プレス加工により切欠き形成することができる。電線９は電線断面の長手方向を溝１７の電線挿入開口２２よりに差し込ませ、保持部１８で長手方向を差し込み方向と直角に回す。これにより電線９は溝１７から抜けることができずに保持部１８に保持される。保持部１８の溝１７に隣接する部分が電線９の浮き出しを防ぐ電線クリップ部２１となる。なお電線を外す場合には上記と逆に電線９の長手方向を保持部１８から溝１７に沿うように回しながら溝１７から引き出す。
【００１９】
この結果、電線９を配線支持具１に挿通させる操作が、電線９の先端から挿通部１１に挿通する作業と比べて簡単になる。そして配線支持具１があることにより、電線相互の間隔をきれいに整えることができるので、電線９を揃える作業が不要となり、分岐ブレーカ５への接続作業も容易で接続が確実にできることとなる。
【００２０】
この発明の第２の実施の形態を図５から図８に示す。すなわち、第１の実施の形態と比較して、ボックスおよび扉のない開放型の分電盤である。図５は正面図であり、メインブレーカ４、複数の分岐ブレーカ５およびアース端子６はベース３に取付けられ、ベース３はフレーム２５にねじ２７などの連結具や溶接などで取付けられ、フレーム２５は壁面２８などにボルト２６などの取付具で取付けられる。配線支持具１はベース３の上下端部に一体に設けられている。またベース３の上下位置に隣接して配線ダクト２３が配置され、これに電線９が挿通されている。配線ダクト２３は分岐ブレーカ５に対応するベース側側板２３ａに窓２４を形成し、電線９が窓２４からベース３に引き出され、配線支持具１の挿通部１１に挿通され、電線９の先端が分岐ブレーカ５に接続されている。その他、第１の実施の形態の図１と共通する部分に同一符号を付している。以下の図においても同様である。
【００２１】
図６はメインブレーカおよび分岐ブレーカ等が取付けられていないベース３と配線支持具１と配線ダクト２３とを示す斜視図である。図６に示すように、配線支持具１はベース３の上下端部を直角に曲げて支持部材１４を兼用し、その支持部材１４に支持片１５を取付けている。また、図６に示すように配線ダクト２３の窓２４は長穴により形成している。
【００２２】
図７は断面図を示している。配線ダクト２３は壁面２８と反対側に開口２３ｂを形成し、開口２３ｂを開閉蓋２９で塞いでおり、電線８を配線ダクト２３内に挿入しやすくしている。また保護板２０は一対の配線ダクト２３の内側間に配置されている。
【００２３】
図８は配線支持具１の電線挿通状態を示すもので、図４と同様である。
【００２４】
この発明の第３の実施の形態を図９から図１２に示す。すなわち、第２の実施の形態と比較して、配線支持具１は配線ダクト２３に一体に設けられている。図９は図６と比較して、配線支持具１がベース３ではなく、配線支持具１が配線ダクト１のベース側側板２３ａの一部として設けられている。この場合、挿通部１１の溝１７の電線挿入開口２２は配線ダクト２３の開閉蓋２９で覆われる開口２３ｂに連通している。その他の共通部分に第２の実施の形態と同一の符号を付している。以下の図も同様である。
【００２５】
図１０は分電盤の正面図であり、図５に対応する。図１１は概略断面図であり、図７に対応する。図１１に示すように配線支持具１の支持片１５が側板２３ａにより、または側板２３ａの上端に取付けられることにより、側板２３ａの一部として形成されている。配線支持具１の挿通部１１に電線９を挿通する場合には、配線ダクト２９の開閉蓋２９を開いて開口２３ｂより電線９を配線ダクト２３内に配置するとともに電線９の端部９ａの付近を支持片１５の溝１７に差し込み保持部１８で保持させる。つぎに開閉蓋２９を閉じる。
【００２６】
図１２は配線支持具１の電線挿通状態を示すもので、図８と同様である。図１２（ｂ）では配線ダクト２３の開口２３ｂが開閉蓋２９で閉じられると、電線挿入開口２２も閉じられることを示している。
【００２７】
なお、この発明の電気装置は、分電盤など配線器具用盤に限らず他のものを含む。複数の電気機器はブレーカに限らず、他の配線器具その他の電気機器および異なる種類の電気機器の組み合わせを含む。支持部材１４はアングルに限らない。支持片１５は帯板に限らず、棒状など他の形状でもよい。配線支持具は支持部材と支持片の構成に限らず挿通部があればよい。支持部材１４の配置はガタースペースに限らず他の場所でもよく、また支持部材は直角に曲げられた電線のみを支持するものに限らない。電線９は断面楕円形に限らない。保持部１８は溝１７との関係でＬ字形をなしているが、たとえば溝１７の底部の両側面に横溝を形成した略Ｔ字形にして、電線９を両横溝にまたがって保持させることもできる。また保持部１８は横溝に限らず、たとえば溝１７に抜け止め片を設け、電線９を差し込む際に抜け止め片を折り曲げなどにより溝から離しておき、電線９の差し込み後に溝１７内に突出させて電線９を抜け止めしてもよい。電線は複数の分岐ブレーカの両側に配置されたが、複数の分岐ブレーカの片側のみに配置されてもよく、配線ダクトも片側のみでもよい。ベースの支持はフレームに限らず取付台であればよく、あるいは直接壁面などに取付けることも可能である。
【図面の簡単な説明】
【００２８】
【図１】この発明の第１の実施の形態の扉を開いた状態の正面図である。
【図２】（ａ）はその分電盤の概略斜視図、（ｂ）は配線支持具を取り出したボックスの概略斜視図である。
【図３】（ａ）は分電盤の側面図、（ｂ）は概略断面図である。
【図４】（ａ）は配線支持具の電線挿通状態の部分平面図、（ｂ）はその部分正面図である。
【図５】第２の実施の形態の保護板を開いた状態の正面図である。
【図６】ブレーカを搭載していない状態の概略斜視図である。
【図７】概略断面図である。
【図８】（ａ）は配線支持具の電線挿通状態の部分平面図、（ｂ）はその部分正面図である。
【図９】第３の実施の形態のブレーカを搭載していない状態の概略斜視図である。
【図１０】保護板を開いた状態の正面図である。
【図１１】概略断面図である。
【図１２】（ａ）は配線ダクトの配線支持具を構成する側板の電線挿通状態の部分平面図、（ｂ）はその部分正面図である。
【図１３】（ａ）は従来例の分電盤の概略斜視図、（ｂ）はボックスの概略斜視図である。
【図１４】分電盤の扉を開いた状態の正面図である。
【図１５】（ａ）は分電盤の側面図、（ｂ）は概略断面図である。
【符号の説明】
【００２９】
１    配線支持具
２    ボックス
３    ベース
５    分岐ブレーカ
９    電線
１１    挿通部
１７    溝
１８    保持部
２２    電線挿入開口
２３    配線ダクト
２３ａ  側板
２３ｂ  開口
２９    開閉蓋
【図１】
2008253047.tif 000003
【図２】
2008253047.tif 000004
【図３】
2008253047.tif 000005
【図４】
2008253047.tif 000006
【図５】
2008253047.tif 000007
【図６】
2008253047.tif 000008
【図７】
2008253047.tif 000009
【図８】
2008253047.tif 000010
【図９】
2008253047.tif 000011
【図１０】
2008253047.tif 000012
【図１１】
2008253047.tif 000013
【図１２】
2008253047.tif 000014
【図１３】
2008253047.tif 000015
【図１４】
2008253047.tif 000016
【図１５】
2008253047.tif 000017